【事件の表示】
　平成　４年特許願第１２３３７７号「複合フィルム及びその製造方法」拒絶査定不服審判事件〔平成　５年１２月　３日出願公開、特開平　５−３１８６８０〕について、次のとおり審決する。
【結　論】
　本件審判の請求は、成り立たない。
【理　由】
１．手続の経緯・本願発明
　本願は、平成４年５月１５日の出願であって、その請求項１〜２に係る発明（以下、「本願発明１〜２」という。）は、出願当初の明細書の記載からみて、その特許請求の範囲の請求項１〜２に記載された次のとおりのものである。
　
「【請求項１】　高温で基材とラミネートして化粧鋼板を製造するための複合フィルムであって、バックプリントされたポリエステル系樹脂フィルム表層と塩化ビニル系樹脂フィルム下層とを積層してなる複合フィルム。
【請求項２】　ポリエステル系樹脂フィルムにバックプリントし、その印刷面に接着剤層を設け、該接着剤層を介して該ポリエステル系樹脂フィルムと塩化ビニル系樹脂フィルムとを積層接着することを特徴とする請求項１記載の複合フィルムの製造方法。」
　
  なお、平成１２年８月１日付け、平成１２年１１月１７日付けの手続補正は、それぞれ平成１５年１２月９日付けで補正却下の決定がなされ、当該決定は確定した。
　
２．引用文献等に記載の事項
　これに対して、原査定の平成１２年５月２６日付け拒絶理由通知書の拒絶の理由で引用した、本願出願前に国内において頒布された刊行物である、特開平４−１４０１３７号公報（以下、「引用例」という。）、及び本願の出願日前の他の特許出願であって、その出願後に出願公開された特願平３−５８６４号（特開平４−２３８０２６号公報）の願書に最初に添付した明細書及び図面（以下、「先願明細書」という。）には、それぞれ、以下の記載がある。
　
　引用例
ａ．「（１）耐熱性と耐溶剤性にすぐれたプラスチックのフィルムを表面フィルムとして、その裏面に絵柄を印刷し、加工性のよいプラスチックのフィルムを中間フィルムとして上記表面フィルムの裏面側に積層し、得られた積層フィルムを金属の基板上に、中間フィルムを金属に接して積層することからなる金属化粧板の製造方法。
（２）表面フィルムとしてポリエステルのフィルムを中間フィルムとしてポリ塩化ビニルのフィルムをそれぞれ使用して実施する請求項１の製造方法。
（３）表面フィルムと中間フィルムとの積層および（または）積層フィルムと金属の基板との積層を、接着剤を使用して実施する請求項１または２の製造方法。」（請求項１〜３）
ｂ．「本発明は、たとえば冷蔵庫の扉の材料として使用する金属化粧板の製造方法に関する。」（第２頁左上欄３〜４行）
ｃ．「本発明の目的は、・・・印刷の鮮映度が高く、・・・曲げ加工性の高い金属化粧板を・・・提供することにある。
　ここで鮮映度とは、表面の鏡面平滑性と透明性により決定される、その下の印刷のあざやかさをあらわす語である。」（第２頁右上欄１２〜１８行）
ｄ．「第１図および第２図に示すように、耐熱性と耐溶剤性にすぐれたプラスチックのフィルムを表面フィルム（１）として、その裏面に絵柄を印刷し、加工性のよいプラスチックのフィルムを中間フィルム（３）として上記表面フィルムの印刷（２）のある裏面側に積層し（第１図）、得られた積層フィルムを金属の基板（４）上に、中間フィルムを金属に接して積層して（第２図）、第３図に示す金属化粧板を得ることからなる。
　表面フィルムとして使用するプラスチックフィルムは、ポリエステルフィルム・・・が好適である。・・・
　表面フィルムへの絵柄の印刷は、通常のインキを使用し、グラビア法、・・・など既知の手法によればよい。・・・
　中間フィルムに使用するプラスチックは、ポリ塩化ビニルが代表的であり」（第２頁左下欄１行〜右下欄１６行、第１〜３図参照）
ｅ．「金属基板には、軟鋼板、・・・や、それらに亜鉛、スズ・・・をメッキしたものを使用すればよい。・・・
　表面フィルムと中間フィルムとの積層、および両者の積層フィルムと基板との積層は、既知の手法に従えばよい。たとえば熱融着法や、ウレタン系・・・など各種の接着剤を使用したドライラミネート法、ウェットラミネート法、ホットメルトラミネート法である。」（第３頁左上欄４〜１４行）
ｆ．「【実施例１】
　表面フィルムとして・・・二軸延伸ポリエチレンテレフタレートフィルム・・・を使用し、その処理面に二液硬化型インキ・・・で絵柄をグラビア印刷した。
　この表面フィルムの印刷層側に、・・・ポリエステルウレタン系二液型接着剤・・・を、乾燥時の厚さが１０ｇ／ｍ２となるように塗布し、その上に厚さ１００μｍの着色ポリ塩化ビニルの中間フィルムをドライラミネートした。
　脱脂処理した厚さ０．５ｍｍの軟鋼板上に、変性アクリル樹脂系二液型接着剤・・・を、乾燥時の厚さが８ｇ／ｍ２となるようにロールコートした。軟鋼板を温度２００℃に加熱し、上記の積層フィルムを２００℃に加熱した金属圧着ロールを使用して貼着し、水冷して金属化粧板を得た。
　得られた化粧板は、絵柄が鮮明で表面平滑であり、９０°曲げ加工も容易であった。」（第３頁左下欄１１行〜右下欄１２行）
　
　先願明細書
ｇ．「【請求項１】金属板上に、第１の熱可塑性樹脂層、印刷インキ層、および・・・透明な第２の熱可塑性樹脂層がこの順序で順次積層されてなることを特徴とする、高鮮映積層金属板。
【請求項２】前記金属板と前記第１の熱可塑性樹脂層との間および／または前記第１の熱可塑性樹脂層と前記印刷インキ層との間に、必要に応じてさらに第１の接着剤層および／または第２の接着剤層が設けられている、請求項１に記載の高鮮映積層金属板。
【請求項３】前記第１の熱可塑性樹脂層の熱可塑性樹脂が塩化ビニル樹脂からなり、前記透明な第２の熱可塑性樹脂層の熱可塑性樹脂がポリエステル樹脂からなることを特徴とする、請求項１または２に記載の高鮮映積層金属板。」（請求項１〜３）
ｈ．「【産業上の利用分野】本発明は、高鮮映積層金属板、特に、冷蔵庫、・・・等の電化製品等に用いられる、高鮮映のプラスチック積層金属板およびそれに使用する化粧シートに関する。」（段落【０００１】）
ｉ．「金属板上に、接着剤層、基礎熱可塑性樹脂層、印刷インキ層、接着剤層、透明な表層熱可塑性樹脂層の順に積層してなる・・・高鮮映積層金属板（特開昭６３−２８０６２７号公報）がある。
・・・この積層金属板では、透明な表層熱可塑性樹脂層と印刷インキ層との間に接着剤層があるために発色が悪くなる。また、基礎熱可塑性樹脂に塩化ビニル樹脂を用いるときは、塩化ビニル樹脂に印刷することになり、塩化ビニル樹脂への印刷時の残留溶剤により、鋼板ラミネート時に発泡する。」（段落【０００２】〜【０００３】）
ｊ．「本発明の高鮮映積層金属板は、金属板（１）上に、第１の熱可塑性樹脂層（３）、印刷インキ層（５）、および・・・透明な第２の熱可塑性樹脂層（６）がこの順序で順次積層されてなること、を特徴とするものである。・・・
　本発明の好ましい他の態様において、前記第１の熱可塑性樹脂層（３）の熱可塑性樹脂が塩化ビニル樹脂からなり、前記透明な第２の熱可塑性樹脂層（６）の熱可塑性樹脂がポリエステル樹脂からなるものとすることができる。」（段落【０００６】〜【０００８】）
ｋ．「本発明の高鮮映積層金属板は、金属板（１）上に第１の熱可塑性樹脂層（３）（以下、中間フィルム（３）ともいう）、印刷インキ層（５）、・・・透明な第２の熱可塑性樹脂層（６）（以下、表面フィルム（６）ともいう）が順次積層されてなるものである。
・・・金属基板としては、軟鋼板・・・銅板や、それらに・・・メッキしたものを用いることができる。」（段落【０００９】〜【００１０】）
ｌ．「印刷インキ層（５）は、通常表面フィルム（６）上に印刷を施すことにより形成されるが、それ以外の方法によって形成してもよい。表面フィルムへの絵柄の印刷は・・・既知の手法によればよい。」（段落【００２０】）
ｍ．「表面フィルム（６）と中間フィルム（３）との積層、および両者の積層フィルムと金属の基板との積層は、既知の手法に従えばよい。たとえば、熱融着法や、・・・各種の接着剤を使用したドライラミネート法・・・である。」（段落【００２８】）
ｎ．「実施例１
表面フィルムとして、・・・二軸延伸ポリエチレンテレフタレート（ＰＥＴ）フィルム・・・を使用し、その処理面に二液硬化型インキ・・・で絵柄をグラビア印刷した。
・・・この表面フィルムの印刷層側に・・・ポリエステルウレタン系二液型接着剤・・・を、・・・塗布し、その上に・・・着色ポリ塩化ビニルの中間フィルムをドライラミネートした。
・・・脱脂処理した厚さ０．５ｍｍの軟鋼板上に、変性アクリル樹脂系二液型接着剤・・・を・・・ロールコートした。軟鋼板を温度２００℃に加熱し、上記の積層フィルムを２００℃に加熱された金属圧着ロールを使用して貼着し、水冷して積層金属板を得た。」（段落【００３４】〜【００３６】）
　
３．対比・判断
（３−１）本願発明１（前者）と引用例に記載された発明（後者）との対比・検討
　引用例には、上記ａ〜ｆの記載より、ポリエステルフィルムを表面フィルムとし、その裏面に絵柄を印刷し、ポリ塩化ビニルフィルムを中間フィルムとして上記表面フィルムの裏面に積層して得られた積層フィルムを金属の基板上に、中間フィルムを金属に接して積層し、金属化粧板を製造することが記載されている。
　引用例には、また、金属基板として軟鋼板を使用すること（上記ｅ、ｆ）、積層フィルムを軟鋼板に積層するときは、２００℃の温度に加熱して貼着すること（上記ｆ）、積層フィルムを金属基板に積層するときは、ポリ塩化ビニルフィルムが金属基板と接するように（上記ａ、ｄ）、すなわち、ポリ塩化ビニルフィルムがポリエステルフィルムの下層になるように積層することが記載されている。
　そして、後者における「裏面に絵柄を印刷」、「積層フィルム」は、それぞれ前者における「バックプリント」、「複合フィルム」に相当すると認められるから、両者は、
「高温で基材とラミネートして化粧鋼板を製造するための複合フィルムであって、バックプリントされたポリエステル系樹脂フィルム表層と塩化ビニル系樹脂フィルム下層とを積層してなる複合フィルム。」である点において一致し、構成上差異がない。
　したがって、本願発明１は、引用例に記載された発明である。
　
（３−２）本願発明１（前者）と先願明細書に記載された発明（後者）との対比・検討
　先願明細書には、上記ｇより、金属板上に、第１の熱可塑性樹脂層、印刷インキ層、および第２の熱可塑性樹脂層が順序で順次積層された高鮮映積層金属板が記載され、第１の熱可塑性樹脂層が塩化ビニル樹脂からなり第２の熱可塑性樹脂層がポリエステル樹脂からなることが記載されている。
　また、第１の熱可塑性樹脂層が中間フィルムとなり、第２の熱可塑性樹脂層が表面フィルムとなり、金属基板として軟鋼板を用いること（上記ｋ）、印刷は通常表面フィルムに施すこと（上記ｌ）が記載され、具体的に実施例には、二軸延伸ポリエチレンテレフタレートフィルムの表面フィルム面に絵柄をグラビア印刷し、この表面フィルムの印刷層側にポリ塩化ビニルの中間フィルムをドライラミネートした積層フィルムを温度２００℃に加熱した軟鋼板上に貼着して積層金属板を得ること（上記ｎ）が記載されている。
　そして、後者の「高鮮映積層金属板」、「積層フィルム」は、前者の「化粧鋼板」、「複合フィルム」に相当し、後者のポリ塩化ビニルの中間フィルムはポリエチレンテレフタレートフィルムの表面フィルムの下層となっていることから、両者は、
「高温で基材とラミネートして化粧鋼板を製造するための複合フィルムであって、バックプリントされたポリエステル系樹脂フィルム表層と塩化ビニル系樹脂フィルム下層とを積層してなる複合フィルム。」である点において一致し、構成上、実質的に差異がない。
　したがって、本願発明１は、先願明細書に記載された発明と同一である。
　
（３−３）本願発明２と引用例及び先願明細書に記載された発明との対比・検討
　本願発明２は、本願発明１の複合フィルムの製造方法において、接着剤層を介してポリエステル系樹脂フィルム印刷面と塩化ビニル系樹脂フィルムとを積層接着することを特定したものである。
　この点について、引用例には、表面フィルムである二軸延伸ポリエチレンテレフタレートフィルムの印刷層側に接着剤を介してポリ塩化ビニルの中間フィルムをラミネートすること（上記ａ，ｅ、ｆ）が記載され、また、先願明細書においても、表面フィルムである二軸延伸ポリエチレンテレフタレートフィルムの印刷層側に接着剤を介してポリ塩化ビニルの中間フィルムをラミネートすること（上記ｇ、ｍ、ｎ）が記載されている。　
　したがって、本願発明２は、上記（３−１）、（３−２）の本願発明１において述べたと同様の理由により、引用例に記載された発明であり、また、先願明細書に記載された発明と同一である。
　
４．むすび
　以上のとおり、本願発明１、２は、本願出願前に頒布された引用例に記載された発明であるから、特許法第２９条第１項第３号の規定により特許を受けることができない。
　また、本願発明１、２は、先願明細書に記載された発明と同一であり、しかも、この出願の発明者が上記先願明細書に記載された発明の発明者と同一であるとも、またこの出願の時において、その出願人がその出願前の出願に係る上記他の特許出願の出願人と同一であるとも認められないので、本願発明１、２は、特許法第２９条の２第１項の規定により特許を受けることができない。
　したがって、本願は拒絶すべきものである。
　よって、結論のとおり審決する。